(57)【要約】      （修正有）【課題】リモコン装置の部品点数の削減、取付け構造の簡略化、組み立て取付け作業の容易化を図る。【解決手段】壁面４６に取付けられる固定金具１０に形成された、鉤部８０と溝部を有する係合凸部５４−１、５４−２、５４−３、５４−４と、係止孔５６−１、５６−２と、回路基板８を備える装置筐体（ケース本体４）に形成され、係合凸部が挿入される係合孔７０−１、７０−２、７０−３、７０−４と、装置筐体の背面側に突出して形成された弾性突起７２−１、７２−２とを備える。係合凸部が係合孔に挿入され、鉤部が装置筐体に係止するとともに溝部に係合孔の縁部が挿入されると、弾性突起が係止孔に係止して圧縮されることで弾性突起の弾性復元力が装置筐体と固定金具との間に作用し、装置筐体が固定金具に固定される。【選択図】図６
2020129820.tif 000002
【特許請求の範囲】
【請求項１】
壁面に取付けられる固定金具に、回路基板を備えた装置筐体が装着されるリモコン装置であって、
前記固定金具に形成され、鉤部と溝部を有する係合凸部と、
前記固定金具に形成された係止孔と、
前記装置筐体に形成され、前記係合凸部が挿入される係合孔と、
前記装置筐体の背面側に突出して形成された弾性突起と、
を備え、前記係合凸部が前記係合孔に挿入され、前記鉤部が前記装置筐体に係止するとともに前記溝部に前記係合孔の縁部が挿入されると、前記弾性突起が前記係止孔に係止して圧縮されることで前記弾性突起の弾性復元力が前記装置筐体と前記固定金具との間に作用し、前記装置筐体が前記固定金具に固定されることを特徴とするリモコン装置。
【請求項２】
前記装置筐体は、前面板と、該前面板の周縁を周回する枠部と、該枠部から内周側に向かって張り出すとともに前記固定金具に対向して設けられ、前記前面板との間に設けられた支持壁によって支持される固定部とを有し、
前記固定部に前記係合孔と前記弾性突起が形成されたことを特徴とする、請求項１に記載のリモコン装置。
【請求項３】
前記固定部より背面側に突出する前記枠部の突出幅と、前記固定金具の厚みとがほぼ等しく設定され、前記装置筐体と前記固定金具の装着時、前記固定金具が前記枠部内に内包されることを特徴とする請求項２に記載のリモコン装置。
【請求項４】
浴室に設置される浴室リモコン装置が備える複数のリモコン機能から選択された１または２以上のリモコン機能を備えることを特徴とする請求項１ないし請求項３のいずれかの請求項に記載のリモコン装置。
【発明の詳細な説明】
【技術分野】
【０００１】
本発明は、台所などに設置されて給湯機器などの遠隔操作に用いられるリモコン装置に関する。
【背景技術】
【０００２】
給湯機器には遠隔操作をするためのリモコン装置が備えられる。このリモコン装置は、浴室や台所などの壁面に取り付けらており、壁面に固定金具を取り付け、この固定金具に装置本体を固定する構造が一般的である。
【０００３】
このようなリモコン装置に関し、装置本体の小型化や取付け作業の容易化のため、ケースの対向する側縁部を撓み可能にし、その弾性復元力を利用した取付け構造が知られている（たとえば、特許文献１）。
【先行技術文献】
【特許文献】
【０００４】
【特許文献１】特開２０１２−９５２０５号公報
【発明の概要】
【発明が解決しようとする課題】
【０００５】
ところで、リモコン装置の装置筐体には回路基板が設置され、この回路基板には表示素子、スイッチ、プロセッサなどが搭載されている。このため、装置筐体と壁面側の固定金具の固定や、その固定構造には、回路基板側の部品配置で制約を受けることになる。
【０００６】
装置筐体の背面側を塞ぐ部材として背面カバーを設置すれば、背面部材や回路基板を固定金具から離すために壁面から装置本体の厚み方向の高さが必要となるし、背面部材を備える分だけ部品点数が増加する。
【０００７】
そこで、本発明の目的は上記課題に鑑み、部品点数の削減、取付け構造の簡略化、組み立て取付け作業の容易化を図ることにある。
【課題を解決するための手段】
【０００８】
上記目的を達成するため、本発明のリモコン装置の一側面によれば、壁面に取付けられる固定金具に、回路基板を備えた装置筐体が装着されるリモコン装置であって、前記固定金具に形成され、鉤部と溝部を有する係合凸部と、前記固定金具に形成された係止孔と、前記装置筐体に形成され、前記係合凸部が挿入される係合孔と、前記装置筐体の背面側に突出して形成された弾性突起とを備え、前記係合凸部が前記係合孔に挿入され、前記鉤部が前記装置筐体に係止するとともに前記溝部に前記係合孔の縁部が挿入されると、前記弾性突起が前記係止孔に係止して圧縮されることで前記弾性突起の弾性復元力が前記装置筐体と前記固定金具との間に作用し、前記装置筐体が前記固定金具に固定される。
【０００９】
上記リモコン装置において、前記装置筐体は、前面板と、該前面板の周縁を周回する枠部と、該枠部から内周側に向かって張り出すとともに前記固定金具に対向して設けられ、前記前面板との間に設けられた支持壁によって支持される固定部とを有し、前記固定部に前記係合孔と前記弾性突起が形成されてもよい。
【００１０】
上記リモコン装置において、前記固定部より背面側に突出する前記枠部の突出幅と、前記固定金具の厚みとがほぼ等しく設定され、前記装置筐体と前記固定金具の装着時、前記固定金具が前記枠部内に内包されてもよい。
【００１１】
上記リモコン装置において、浴室に設置される浴室リモコン装置が備える複数のリモコン機能から選択された１または２以上のリモコン機能を備えればよい。
【発明の効果】
【００１２】
本発明によれば、次のような効果が得られる。
(1) 装置筐体に固定金具と対向する固定部と、固定金具を固定する挿抜機構部を備えて、装置筐体を固定金具に固定でき、壁面を以て装置筐体の背面側を塞ぐので、装置筐体の背面を塞ぐ背面部材や背面カバーを省略でき、部品点数の削減を図ることができる。
【００１３】
(2) 装置筐体に配置される回路基板を避けて固定金具に装置筐体を固定する挿抜機構部を備えているので、装置筐体と固定金具の固定に回路基板の制約を受けることがなく、取付け構造の簡略化により製造上、組み立ての容易化とともに、施工上、取付け作業の容易化を図ることができる。
【００１４】
(3) リモコン装置の偏平化を図ることができ、壁面からの突出を小さくできる。
【図面の簡単な説明】
【００１５】
【図１】一実施の形態に係るリモコン装置を示す分解斜視図である。
【図２】壁面に設置されたリモコン装置を示す正面図である。
【図３】Ａは図２のIIIA−IIIA線断面を示す図、Ｂは図２のIIIB−IIIB線断面を示す図である。
【図４】Ａはケース本体を示す背面図、Ｂは固定金具を示す正面図である。
【図５】Ａはケース本体および固定金具の挿抜機構部を示す図、Ｂは図４のＡのＶＢ−ＶＢ線断面を示す断面図である。
【図６】ケース本体と固定金具の挿抜を示す図である。
【図７】給湯機器のリモコンシステムを示す図である。
【発明を実施するための形態】
【００１６】
図１は、一実施の形態に係るリモコン装置２の分解状態を示している。図示の構成は一例であり、係る構成に本発明が限定されるものではない。
このリモコン装置２には構成部品の一例としてケース本体４、操作パネル６、回路基板８および固定金具１０が備えられる。
【００１７】
ケース本体４は装置筐体の一例である。ケース本体４には成形材料としてたとえば、合成樹脂が用いられ、この合成樹脂の成形体が用いられる。このケース本体４には前面板１２および枠部１４が備えられる。前面板１２は一例として正方形の角部を曲面化し、その前面は平坦面に形成されている。この前面板１２には、中間上部に放音口部１６、窓部１８−１、１８−２、１８−３、１８−４、１８−５、中央部に押しボタン部２０−１、２０−２、下部に押しボタン部２０−３、２０−４が形成されている。
【００１８】
枠部１４は同一幅の枠体であって、前面板１２の周縁を周回し、前面板１２の前面側に僅かの突出縁部２２を備える。この枠部１４の内側には操作パネル６が設置され、操作パネル６が前面板１２を被覆する。
【００１９】
操作パネル６には柔軟性を備える合成樹脂材料が用いられる。この操作パネル６には透光部２４および遮光部２６が形成され、透光部２４側に表示窓部２８、膨出部３０−１、３０−２が形成され、遮光部２６に膨出部３０−３、３０−４が形成されている。透光部２４は前面板１２の表面を隠蔽するとともに、発光素子が発する光の透過機能を備えるエリアであり、遮光部２６は光遮断機能を備えるエリアである。この表示窓部２８は文字表示などに用いられる。膨出部３０−１、３０−２、３０−３、３０−４は前面側に僅かに突出した湾曲部であり、押しボタン部２０−１、２０−２、２０−３、２０−４の操作エリアである。
【００２０】
表示窓部２８側には「給湯」や「℃」などの表示３２を備える。膨出部３０−１、３０−２は温度の上昇または下降の方向性を表す形状に形成され、その内部に上昇方向または下降方向を表す表示３２を備える。
【００２１】
膨出部３０−３は一例として長方形状であり、この膨出部３０−３には「ふろ自動」を表す表示３２を備えるとともに、動作時に点灯させる帯状の表示部３４−１が備えられる。膨出部３０−４は一例として円形であり、この膨出部３０−４には「運転の入／切」を表す表示３２、膨出部３０−４と同心円状の透光部である表示部３４−２、動作時に点灯させる長円状の表示部３４−３が備えられる。
【００２２】
前面板１２の背面側には回路基板８が設置される。この回路基板８は一例として、長方形状基板であり、告知手段の一例としてブザー３６、表示素子の一例として７セグメントディスプレイ (seven-segment display)３８の他、スイッチ４０−１、４０−２、４０−３、４０−４や、図示しない複数の発光素子が配置される。この回路基板８には複数の固定孔４２が備えられ、各固定孔４２に固定ビス４４を貫通させて前面板１２の背面部に回路基板８を固定する。
【００２３】
固定金具１０には金属や合成樹脂などの剛性材料が用いられ、台所などの壁面４６に複数の固定ねじ４８を用いて取り付けられる。この固定金具１０には上下縁部を前方に折り曲げた補強部５０−１、５０−２、左右縁部側に挿抜機構部５２の係合凸部５４−１、５４−２、５４−３、５４−４および係止孔５６−１、５６−２と、固定ねじ４８を挿通させる複数の固定孔５８と、回路基板８に接続する配線を通す通線窓部６０とが備えられる。挿抜機構部５２は、壁面４６に取り付けられた固定金具１０にケース本体４を挿抜させ、固定金具１０にケース本体４を固定する機構である。
【００２４】
図２は、壁面４６に設置されたリモコン装置２を示している。動作時、表示窓部２８には温度表示として現在の温度６２が表示される。このとき、表示窓部２８の左側に発光素子の点灯によって動作中表示６４−１、表示窓部２８の右側に燃焼中を表す燃焼表示６４−２、優先表示６４−３、高温表示６４−４が表示される。
【００２５】
膨出部３０−３には自動運転時、発光素子の点灯によって表示部３４−１がたとえば、赤色に発光する。また、膨出部３０−４には発光素子の点灯によって表示部３４−２、３４−３が発光する。
【００２６】
この壁面４６上のリモコン装置２について、図３のＡは図２のIIIA−IIIA線断面、図３のＢは図２のIIIB−IIIB線断面を示している。ケース本体４は図３のＡに示すように、台所などの壁面４６に固定された固定金具１０に装着される。固定金具１０は図３のＢに示すように、固定ねじ４８を用いて壁面４６に強固に取り付けられている。
【００２７】
＜挿抜機構部５２＞
図４のＡはケース本体４の背面を示し、図４のＢは壁面４６に設置された固定金具１０の正面を示している。
【００２８】
固定金具１０にケース本体４を挿抜させる挿抜機構部５２は固定金具１０およびケース本体４によって構成されている。ケース本体４の背面左右側には、挿抜機構部５２の固定部６６−１、６６−２が備えられている。各固定部６６−１、６６−２は、ケース本体４と同様の合成樹脂で成形された板状部であって、ケース本体４の背面縁部より僅かに前面側に後退し、かつ回路基板８を避けた部位で、回路基板８と重ならない範囲に形成されている。各固定部６６−１、６６−２には対向する縁部側に台形状の張出部６８が形成されている。各固定部６６−１、６６−２とケース本体４との間には複数の支持壁６９−１、６９−２が備えられている。各支持壁６９−１、６９−２は、各固定部６６−１、６６−２とケース本体４の前面板１２との間隔を一定に保持するとともに、各固定部６６−１、６６−２をケース本体４に強固に保持する。この例では各支持壁６９−２が張出部６８側に設けられ、張出部６８が補強されている。
【００２９】
ここで、ケース本体４に設置される回路基板８の幅をＷ１、固定部６６−１、６６−２の張出部６８間の幅をＷ２とすると、Ｗ２＞Ｗ１の関係にある。Ｗ２−Ｗ１＝ΔＷであり、ΔＷ／２の間隔が余裕幅である。
【００３０】
固定部６６−１には、係合孔７０−１、７０−２および弾性突起７２−１が形成され、固定部６６−２には、係合孔７０−３、７０−４および弾性突起７２−２が形成されている。各係合孔７０−１、７０−２、７０−３、７０−４は、固定金具１０の係合凸部５４−１、５４−２、５４−３、５４−４が挿通し摺動可能な長孔である。
【００３１】
弾性突起７２−１は、ケース本体４の内側方向側に設置して係合孔７０−１、７０−２の中心線ｙ１を避けて張出部６８に設置されている。弾性突起７２−２も同様に、ケース本体４の内側方向側に設置して係合孔７０−３、７０−４の中心線ｙ２を避けて張出部６８に設置されている。係合孔７０−１、７０−２側の中心線ｙ１は固定金具１０の係合凸部５４−１、５４−２側の中心線ｙ１に対応する。係合孔７０−３、７０−４側の中心線ｙ２は固定金具１０の係合凸部５４−３、５４−４側の中心線ｙ２に対応する。同様に、弾性突起７２−１、７２−２側の中心線ｙ３、ｙ４は固定金具１０の係止孔５６−１、５６−２側の中心線ｙ３、ｙ４に対応する。
【００３２】
弾性突起７２−１は、固定部６６−１に透孔７４を形成してＵ字形の弾性片７６を形成し、この弾性片７６の上面に円形の凸部７８を形成し、この凸部７８をケース本体４の背面側に向けて突出させている。同様に、弾性突起７２−２も、固定部６６−２に透孔７４を形成してＵ字形の弾性片７６を備え、この弾性片７６に円形の凸部７８を形成し、この凸部７８をケース本体４の背面側に向けて突出させている。
【００３３】
このケース本体４を挿抜させる固定金具１０には図４のＢに示すように、各係合凸部５４−１、５４−２、５４−３、５４−４および各係止孔５６−１、５６−２が形成されている。
【００３４】
図５のＡは、挿抜機構部５２の固定部６６−１側を示している。固定金具１０の各係合凸部５４−１、５４−２（５４−３、５４−４）には上方に向かって突出する鉤部８０が備えられ、この鉤部８０と固定金具１０の本体側との間に溝部８２が形成されている。これは、固定部６６−２側も同様である。
【００３５】
このとき、弾性突起７２−１はケース本体４側の固定部６６−１に押し当てられて維持され、弾性突起７２−１から弾性復元力が固定部６６−１に作用する。これは、固定部６６−２側も同様である。
【００３６】
図５のＢは、図４のＡのＶＢ−ＶＢ線断面を示している。固定部６６−１、６６−２は、ケース本体４の開口縁部より僅かに内側に形成されている。壁面４６側の固定金具１０の厚みをｔ１、固定部６６−１、６６−２より背面側に突出するケース本体４側の突出幅をｔ２とすれば、ｔ１≒ｔ２の関係がある。これにより、固定金具１０は、固定部６６−１、６６−２の背面側のケース本体４の空間８４に設置される。つまり、固定金具１０は固定部６６−１、６６−２に重ねられてケース本体４内に内包される。
【００３７】
図６のＡ、ＢおよびＣは、ケース本体４と固定金具１０を固定する挿抜機構部５２の挿抜を示している。
【００３８】
ケース本体４の装着時、図６のＡに示すように、壁面４６に固定された固定金具１０の各係合凸部５４−１、５４−２、５４−３、５４−４の位置にケース本体４の固定部６６−１、６６−２にある係合孔７０−１、７０−２、７０−３、７０−４を合わせる。この状態を維持しながら、図６のＢに示すように、各係合凸部５４−１、５４−２、５４−３、５４−４に固定部６６−１、６６−２にある係合孔７０−１、７０−２、７０−３、７０−４を挿入する。このとき、ケース本体４を固定金具１０に対して矢印Ｂ１に示す方向に押し当てることにより、弾性突起７２−１、７２−２を圧縮させて後退させ、各係合凸部５４−１、５４−２、５４−３、５４−４を固定部６６−１、６６−２の係合孔７０−１、７０−２、７０−３、７０−４に挿入することができる。つまり、弾性突起７２−１、７２−２は押圧状態となり、弾性突起７２−１、７２−２が持つ弾性の復元力がケース本体４と固定金具１０との間に作用し、両者の強固な保持状態が維持される。
【００３９】
この挿入状態を維持しながら、図６のＣに示すように、固定金具１０に対してケース本体４を矢印Ｃ１で示す方向にスライドさせると、各係合凸部５４−１、５４−２、５４−３、５４−４の鉤部８０が係合孔７０−１、７０−２、７０−３、７０−４の縁部の背面側に滑り込み、鉤部８０と溝部８２には固定部６６−１、６６−２が挿入され、固定金具１０と固定部６６−１、６６−２が係合する。
【００４０】
このとき、弾性突起７２−１、７２−２はケース本体４側の固定部６６−１、６６−２に押し当てられ、弾性突起７２−１、７２−２の弾性復元力が固定金具１０に作用するとともに、係止孔５６−１、５６−２に嵌まり込む。つまり、弾性突起７２−１、７２−２の弾性復元力により、ケース本体４は固定金具１０の前方向に押し出されるように保持される。固定部６６−１、６６−２が係合凸部５４−１、５４−２、５４−３、５４−４と強固に固定され、ケース本体４が固定金具１０に装着される。
【００４１】
固定金具１０からケース本体４を外すには、弾性突起７２−１、７２−２の弾性復元力に打ち勝つ力をケース本体４に加えることにより、図６のＣに示すように、矢印Ｃ２で示す方向にケース本体４をスライドさせ、図６のＢに示すように、弾性突起７２−１、７２−２と係止孔５６−１、５６−２との係止を矢印Ｂ２に示す方向に移動させて解除すれば、弾性突起７２−１、７２−２の弾性復元力でケース本体４が前方に移動し、固定金具１０からケース本体４を外すことができる。
【００４２】
＜リモコンシステム９０＞
図７は、リモコン装置２を用いた給湯機器９４のリモコンシステム９０を示している。このリモコン装置２を用いたリモコンシステム９０ではマスターリモコンであるたとえば、ふろリモコン装置９２と併用される。このふろリモコン装置９２は浴室リモコン装置の一例であり、給湯機器９４の制御部９６で制御され、給湯温度表示機能９８、優先動作表示機能１００、ふろ自動機能１０２、運転スイッチ機能１０４、温度調整機能１０６、ふろ追焚機能１０８など、複数のリモコン機能を備える。これに対し、リモコン装置２では制御部９６で制御されるとともに、ふろリモコン装置９２のリモコン機能から選択されたたとえば、給湯温度表示機能９８、優先動作表示機能１００、ふろ自動機能１０２、運転スイッチ機能１０４など、ふろリモコン装置９２に対して限定された機能が備えられる。
【００４３】
＜一実施の形態の効果＞
(1) 固定金具１０とケース本体４を挿抜させる挿抜機構部５２をコンパクト化でき、ケース本体４が偏平化されるので、壁面４６からケース本体４の突出量を低減できる。
【００４４】
(2) ケース本体４側の固定部６６−１、６６−２は、ケース本体４に設置される回路基板８を避け、回路基板８と重ならないので、ケース本体４の偏平化に寄与する。
【００４５】
(3) ケース本体４から背面部材や背面ケースを省略でき、リモコン装置２の部品点数を削減でき、低コスト化を図ることができる。
【００４６】
(4) 固定金具１０と着脱可能な固定部６６−１、６６−２は合成樹脂などの成形体でケース本体４と一体化でき、構造の胆略化、部品点数の削減とともに、製造上、組み立ての容易化が図られる。また、固定部６６−１、６６−２との一体化でケース本体４の堅牢化を図ることができる。
【００４７】
(5) 固定部６６−１、６６−２はケース本体４に一体化とともに、ケース本体４との間に支持壁６９−１、６９−２によって平行且つ強固に維持され、ケース本体４と同様の機械的強度を備えている。このため、弾性突起７２−１、７２−２は、強固な固定部６６−１、６６−２をベースに素材の持つ弾性および復元力をケース本体４と固定金具１０との間に作用させ、ケース本体４を固定金具１０に強固に保持させることができる。
【００４８】
(6) リモコン装置２は、ふろリモコン装置９２などのマスターリモコンと併用してリモコンシステム９０を構成でき、マスターリモコンの高機能化に対して簡易機能を搭載し、マスターリモコンとの機能分担により利便性を高めることができる。
【００４９】
〔他の実施の形態〕
(1) 上記実施の形態では、マスターリモコンの高機能に対して選択された機能も持つ簡易機能化を図っているが、これに限定されることなく、マスターリモコンと同等の機能を備えてもよい。
【００５０】
(2) 複数の機能を備えるマスターリモコンとして構成できるリモコン装置２を構成してもよい。
【００５１】
以上説明したように、本発明の最も好ましい実施の形態等について説明した。本発明は、上記記載に限定されるものではない。特許請求の範囲に記載され、または明細書に開示された発明の要旨に基づき、当業者において様々な変形や変更が可能である。斯かる変形や変更が、本発明の範囲に含まれることは言うまでもない。
【産業上の利用可能性】
【００５２】
本発明は、高機能化されたリモコンのリモコン機能から選択された簡易リモコン機能を搭載し、部品点数の削減による構造の簡略化や取付けの簡便性を図ったリモコン装置を提供できる。
【符号の説明】
【００５３】
２  リモコン装置
４  ケース本体
６  操作パネル
８  回路基板
１０  固定金具
１２  前面板
１４  枠部
１６  放音口部
１８−１、１８−２、１８−３、１８−４、１８−５  窓部
２０−１、２０−２、２０−３、２０−４  押しボタン部
２２  突出縁部
２４  透光部
２６  遮光部
２８  表示窓部
３０−１、３０−２、３０−３、３０−４  膨出部
３２  表示
３４−１、３４−２、３４−３  表示部
３６  ブザー
３８  ７セグメントディスプレイ
４０−１、４０−２、４０−３、４０−４  スイッチ
４２  固定孔
４４  固定ビス
４６  壁面
４８  固定ねじ
５０−１、５０−２  補強部
５２  挿抜機構部
５４−１、５４−２、５４−３、５４−４  係合凸部
５６−１、５６−２  係止孔
５８  固定孔
６０  通線窓部
６２  温度
６４−１  動作中表示
６４−２  燃焼表示
６４−３  優先表示
６４−４  高温表示
６６−１、６６−２  固定部
６８  張出部
６９−１、６９−２  支持壁
７０−１、７０−２−７０−３、７０−４  係合孔
７２−１、７２−２  弾性突起
７４  透孔
７６  弾性片
７８  凸部
８０  鉤部
８２  溝部
８４  空間
９０  リモコンシステム
９２  ふろリモコン装置
９４  給湯機器
９６  制御部
９８  給湯温度表示機能
１００  優先動作表示機能
１０２  ふろ自動機能
１０４  運転スイッチ機能
１０６  温度調整機能
１０８  ふろ追焚機能
【図１】
2020129820.tif 000003
【図２】
2020129820.tif 000004
【図３】
2020129820.tif 000005
【図４】
2020129820.tif 000006
【図５】
2020129820.tif 000007
【図６】
2020129820.tif 000008
【図７】
2020129820.tif 000009